(57)【要約】      （修正有）【課題】端末に、アクセス数等に基づき選別されたデータを地図上に表示することで、画面上での表示を明瞭化し、利用者が目的のデータを的確に獲得する時間を短縮するシステム及び方法を提供する。【解決手段】携帯端末１１からの表示要求を受けた地図表示サーバ１２は検索分野と地域情報を施設管理サーバ１４に送信し、施設管理サーバ１４は施設データベース１５の検索分野と地域情報に対応する表示順位表１６から最もアクセス数の多い施設データを取得して地図表示サーバ１２に送信し、地図表示サーバ１２は地図情報と施設データを合わせた表示情報を携帯端末１１に送信する。携帯端末１１からの確認ＯＫが入力された場合、施設管理サーバ１４は施設データベース１５の施設のアクセス回数をカウントアップし、施設管理サーバ１４は、所定の期間毎に表示順位表１６の順位を更新する。【選択図】図１
2005165749.tif 000002
【特許請求の範囲】
【請求項１】
携帯端末と、
前記携帯端末と通信接続され、地図情報を配信する地図表示サーバと、
前記地図表示サーバによってアクセスされ地図情報を格納した地図データベースと、
施設のデータを格納した施設データベースと、
前記地図表示サーバと通信接続するとともに、前記施設データベースの施設データを管理する施設管理サーバと、
を備え、
前記施設データベース内には、検索分野及び地域別に、アクセス回数の多い順に順位付けして表形式で格納した表示順位表を備え、
前記携帯端末からの表示要求を受けた前記地図表示サーバは、検索分野と地域情報を前記施設管理サーバに送信する手段を備え、
前記施設管理サーバは、前記施設データベースの、検索分野と地域情報に対応する表示順位表から最もアクセス数の多い施設データを取得して前記地図表示サーバに送信する手段を備え、
前記地図表示サーバは、前記地図データベースから取得した地図情報と、前記施設データを合わせた地図表示情報を作成して前記携帯端末に送信する手段を備え、
前記携帯端末において、表示された地図情報に対する確認が入力された場合、前記携帯端末からの確認通知を受け、前記施設管理サーバは、前記施設データベースの前記施設のアクセス回数をカウントアップする手段を備え、
前記施設管理サーバは、所定の期間毎に、アクセス回数に基づき前記表示順位表の施設の順位を更新する手段を備えている、ことを特徴とする地図情報表示システム。
【請求項２】
前記携帯端末から表示要求を前記地図表示サーバに対して行う場合、前記携帯端末は、少なくとも検索分野と地域情報を前記地図表示サーバに送信する、ことを特徴とする請求項１記載の地図情報表示システム。
【請求項３】
前記携帯端末の利用者に対応する検索分野を、前記利用者の個人情報として予め保持している個人情報データべースを有し、
前記携帯端末からの表示要求を受けた前記地図表示サーバは、前記個人情報データベースを参照して、前記携帯端末に対応する検索分野を取得し、前記携帯端末の地域情報と、前記個人情報データべースから取得した前記検索分野を、前記施設管理サーバに送信する、ことを特徴とする請求項１記載の地図情報表示システム。
【請求項４】
前記携帯端末は、前記携帯端末から表示要求を前記地図表示サーバに対して行う場合、画面表示される縮尺を表す地図表示レベル情報を、前記地図表示サーバに送信する、ことを特徴とする請求項１記載の地図情報表示システム。
【請求項５】
携帯端末と、
前記携帯端末と通信接続され、地図情報を配信する地図表示サーバと、
前記地図表示サーバによってアクセスされ、地図情報を格納した地図データベースと、
施設データを格納した施設データベースと、
前記地図表示サーバと通信接続するとともに、前記施設データベースの施設データを管理する施設管理サーバと、
を備えた地図表示システムにおける表示方法であって、
前記施設データベース内には、検索分野及び地域別に、アクセス回数の多い順に順位付けして表形式で格納した表示順位表を有し、
前記携帯端末からの表示要求を受けた前記地図表示サーバが、検索分野と地域情報を前記施設管理サーバに送信する工程と、
前記施設管理サーバが、前記施設データベースの検索分野と地域情報に対応する表示順位表から最もアクセス数の多い施設データを取得して前記地図表示サーバに送信する工程と、
前記地図表示サーバが、地図情報と前記施設データを合わせた表示情報を前記携帯端末に送信する工程と、
前記携帯端末からの確認が入力された場合、前記施設管理サーバが、前記施設データベースの前記施設のアクセス回数をカウントアップする工程と、
前記施設管理サーバが、所定の期間毎に、前記施設データベース内の表示順位表の順位を更新する工程を
を含む、ことを特徴とする地図情報表示方法。
【請求項６】
前記携帯端末から表示要求を前記地図表示サーバに対して行う場合、前記携帯端末は、少なくとも検索分野と地域情報を、前記地図表示サーバに送信する工程を含む、ことを特徴とする請求項５記載の地図情報表示方法。
【請求項７】
前記携帯端末に対応する検索分野を、前記携帯端末の利用者の個人情報として、予め保持している個人情報データべースを有し、
前記携帯端末からの表示要求を受けた前記地図表示サーバは、前記個人情報データベースを参照して、前記携帯端末に対応する検索分野を取得し、前記携帯端末の地域情報と、検索分野を、前記施設管理サーバに送信する工程を含む、ことを特徴とする請求項５記載の地図情報表示方法。
【請求項８】
前記携帯端末は、前記表示要求を前記地図表示サーバに対して行う場合、画面表示される縮尺を表す地図表示レベル情報を前記地図表示サーバに送信する手段を備えている、ことを特徴とする請求項５記載の地図情報表示方法。
【請求項９】
（ａ）携帯端末を用いて利用者がエリアの施設の検索を行う場合、前記携帯端末から、位置情報、縮尺、検索分野をパラメータとして、地図表示サーバに対して地図検索表示要求を送信する工程と、
（ｂ）前記地図表示サーバが、地図情報を格納した地図データベースに対して、位置情報に対応する地図表示を要求する工程と、
（ｃ）前記地図データベースは、前記地図表示サーバに前記位置情報に対応するデータを返信する工程と、
（ｄ）前記地図表示サーバが、施設管理サーバを介して、地図に表示される施設データを格納した施設データベースに対して、位置情報、検索分野に対応する施設データを要求する工程と、
（ｅ）前記施設データベースが、前記地図表示サーバから要求された検索分野に対応する表示順位表の表示優先度に基づき選択された施設データを返信する工程と、
（ｆ）前記地図表示サーバが、前記地図データベースから入手した位置のデータに対応する地図表示と、前記施設データベースから返信された前記検索分野の表示順位表の施設データを重ね合わせた地図表示データを作成する工程と、
（ｇ）前記地図表示サーバが、前記作成した地図表示データを、前記携帯端末に送信する工程と、
（ｈ）前記携帯端末が、前記携帯端末の画面に、前記施設データを重ね合わせた地図を表示する工程と、
（ｉ）前記携帯端末の画面表示内容を前記利用者が確認し、前記利用者の要求に合えば、前記利用者は、前記携帯端末の画面上で確認可を選択して、施設検索を終了する工程と、
を含む、ことを特徴とする地図情報表示方法。
【請求項１０】
前記携帯端末の画面表示内容を前記利用者が確認し、前記利用者の要求に合わなかった場合には、前記利用者は、不可を選択して、前記携帯端末より前記地図表示サーバに対して再検索要求を行い、前記（ａ）乃至（ｈ）の工程が再び行われる、ことを特徴とする請求項９記載の地図情報表示方法。
【請求項１１】
（ｊ）前記工程（ｉ）で、前記利用者による確認が可となった場合には、前記地図表示サーバを通じて前記施設管理サーバに、前記検索分野と前記施設データによる検索の確認が可であることを通知する工程と、
（ｋ）前記施設管理サーバが、前記施設データベースの施設データのアクセス数をカウントアップする工程と、
（ｌ）前記施設管理サーバが、前記携帯端末からの要求があるたびに、前記（ａ）乃至（ｋ）の工程を行い、アクセス数を分野毎に集計し、予め定められた所定の期間毎に、アクセス数を基に前記表示順位表を更新する工程と、
を含む、ことを特徴とする請求項９記載の地図情報表示方法。
【請求項１２】
（ａ）携帯端末を用いて利用者がエリアの施設の検索を行う場合、前記携帯端末から、位置情報、縮尺をパラメータとして地図表示サーバに対して地図表示要求を行う工程と、
（ｂ）前記地図表示サーバが、地図情報を格納した地図データベースに対して、位置情報に対応する地図表示を要求する工程と、
（ｃ）前記地図データベースが、前記地図表示サーバに、位置情報に対応する地図データを返信する工程と、
（ｄ）前記地図表示サーバが、携帯端末に対応する検索分野を前記携帯端末の利用者の個人情報として格納した個人情報データベースに対して、前記携帯端末に対応する、検索分野の情報を要求する工程と、
（ｅ）前記個人情報データベースが、前記地図表示サーバに、前記携帯端末に対応する検索分野を返信する工程と、
（ｆ）前記地図表示サーバが、施設管理サーバを介して、地図に表示される施設情報を格納した施設データベースに対して、位置情報、検索分野に対応する施設データを要求する工程と、
（ｇ）前記施設データベースが、要求された検索分野に対応する表示順位表の表示優先度に基づき選択された施設データを返信する工程と、
（ｈ）前記地図表示サーバが、前記地図データベースから取得した地図表示データと、前記施設データベースから取得した前記検索分野の表示順位表の施設データを重ね合わせた地図表示データを作成する工程と、
（ｉ）前記地図表示サーバが、作成した地図表示データを前記携帯端末に送信する工程と、
（ｊ）前記携帯端末は、前記携帯端末の画面に、前記施設データを重ね合わせた地図情報を表示する工程と、
（ｋ）前記携帯端末の画面表示内容を前記利用者が確認し、前記利用者の要求に合えば、前記利用者は、前記携帯端末の画面上で確認可を選択して、施設検索を終了する工程と、
を含む、ことを特徴とする地図情報表示方法。
【請求項１３】
前記携帯端末の画面表示内容を前記利用者が確認し、前記利用者の要求に合わない場合には、前記利用者は、前記携帯端末から不可を選択して、前記携帯端末より前記地図表示サーバに対して再検索要求を行い、前記（ａ）乃至（ｋ）の工程が再び行われる、ことを特徴とする請求項１２記載の地図情報表示方法。
【請求項１４】
（ｌ）前記工程（ｋ）で確認可となった場合には、前記地図表示サーバを通じて前記施設管理サーバに、検索分野と施設データでの検索の確認が可となったことを通知する工程と、
（ｍ）前記施設管理サーバは、前記施設データベースの施設データのアクセス数をカウントアップする工程と、
（ｎ）前記施設管理サーバは、前記携帯端末からの要求があるたびに、前記（ａ）乃至（ｋ）を行い、アクセス数を分野毎に集計し、予め定められた所定の期間毎に、アクセス数を基に、前記表示順位表を作成する工程と、
を含む、ことを特徴とする請求項１２記載の地図情報表示方法。
【請求項１５】
前記再検索を実行する場合、表示される地図の詳細度を上げる、ことを特徴とする請求項１０又は１３記載の地図情報表示方法。
【発明の詳細な説明】
【技術分野】
【０００１】
本発明は、地図情報システムに関し、特に、携帯端末で利用して好適な地図情報システム及びその表示方法に関する。
【背景技術】
【０００２】
従来より、インターネットを利用してコンピュータ等の端末で地図情報を表示する地図情報システムが利用されている。
【０００３】
なお、情報を配信するシステムとして、情報収集時、地図情報を含む地域情報を収集し、情報提供者から配信対象情報と配信情報を収集し、利用者端末から個人情報を収集し、利用者端末から利用者に関する位置情報を含む行動履歴を収集し、収集した行動履歴をもとに利用者の行動パターンを解析し、情報配信時、利用者端末から利用者の位置情報を収集し、利用者の環境情報、行動パターン、個人情報、配信対象条件をもとに、利用者に配信する配信情報を検索し、検索された配信情報を利用者に配信する構成が知られている（例えば後記特許文献１参照）。
【０００４】
また、携帯用地図情報表示装置としてスクロールキーを操作して所望の地図情報を検索して表示する装置も知られている（例えば後記特許文献２参照）。
【０００５】
さらに、検索時の施設の優先順位を示す検索ランクを設定し、緊急度ランクと検索ランクにより対応する施設種別のコードの対応施設種別コード設定部により設定し、このコードと施設記憶部に設定されているコードを比較し検索を行い、異常状態が発生したとき、これに対応するために最も適した施設を設定し地図画面上に表示する車両用地図表示装置も知られている（例えば後記特許文献３参照）。
【０００６】
【特許文献１】特開２００２−３４２３６７号公報（第３−４頁、第１図）
【特許文献２】特開平１−２９８３９０号公報（第３頁、第２図）
【特許文献３】特開平６−１７４４８２号公報（第３頁、第２図）
【発明の開示】
【発明が解決しようとする課題】
【０００７】
地図情報システムにおいて、端末から施設の探索を行うと、条件に合致する件数が多数ある場合に、合致したものすべてを端末の画面上に表示することはできない。あるいは、端末に表示することが可能であっても、地図画面上で、施設同士が重なりあってしまい、表示上、見づらい状態になってしまう。
【０００８】
また、従来の地図情報システムにおいて、端末の別画面で検索結果を一覧表示することも可能であるが、さらに条件を絞って再検索をするか、一つ一つのデータの内容を確認するという手順が必要となり、その結果、利用者が適当なデータを取得するために要する時間が増大する。
【０００９】
したがって、本発明の目的は、端末に、アクセス数等に基づき選別されたデータを地図上に表示することで、画面上での表示を明瞭化し、利用者が所望するデータを的確に獲得するための時間を短縮するシステム及び方法を提供することにある。
【課題を解決するための手段】
【００１０】
本発明の１つのアスペクトに係るシステムは、携帯端末と、前記携帯端末と通信接続され、地図情報を配信する地図表示サーバと、前記地図表示サーバによってアクセスされ地図情報を格納した地図データベースと、地図表示画面に表示される施設情報を格納した施設データベースと、前記地図表示サーバと通信接続し前記施設データベースの施設データを管理する施設管理サーバと、を備え、前記施設データベース内には、検索分野及び地域別に、アクセス回数の多い順に順位付けして表形式で格納した表示順位表を備え、前記携帯端末からの表示要求を受けた前記地図表示サーバは、検索分野と地域情報を前記施設管理サーバに送信する手段を備え、前記施設管理サーバは、前記施設データベースの、検索分野と地域情報に対応する表示順位表から最もアクセス数の多い施設データを取得して前記地図表示サーバに送信する手段を備え、前記地図表示サーバは地図情報と前記施設データを合わせた表示情報を前記携帯端末に送信する手段を備え、前記携帯端末からの確認が入力された場合、前記施設管理サーバは前記施設データベースの前記施設のアクセス回数をカウントアップする手段を備え、前記施設管理サーバは、所定の期間毎に、表示順位表の順位を更新する手段を備えている。
【００１１】
本発明において、前記携帯端末から表示要求を前記地図表示サーバに対して行う場合、検索分野と地域情報を前記地図表示サーバに送信する。
【００１２】
本発明において、前記携帯端末に対応する検索分野を個人情報として予め保持している個人情報データべースを有し、前記携帯端末からの表示要求を受けた前記地図表示サーバは、前記個人情報データベースを参照して、前記携帯端末に対応する検索分野を取得し、前記携帯端末の地域情報と、検索分野を、前記施設管理サーバに送信する構成としてもよい。
【００１３】
本発明の他のアスペクトに係る方法は、
（ａ）前記利用者が携帯端末を用いてエリアの施設検索を行う場合、携帯端末は、地図表示サーバに対して、位置情報、縮尺、検索分野を地図検索表示要求を行う工程と、
（ｂ）前記地図表示サーバが、地図情報を格納した地図データベースに対して位置情報に対応する地図表示を要求する工程と、
（ｃ）前記地図データベースが、前記地図表示サーバに前記位置情報に対応するデータを返信する工程と、
（ｄ）前記地図表示サーバが、地図に表示される施設情報を格納した施設データベースに対して、位置情報、検索分野に対応する施設データを要求する工程と、
（ｅ）前記施設データベースが、要求された検索分野に対応する表示順位表の表示優先度に基づき選択された施設データを返信する工程と、
（ｆ）前記地図表示サーバが、前記地図データベースから入手した位置のデータに対応する地図表示と、前記施設データベースから取得した前記検索分野の表示順位表の施設データを重ね合わせた地図表示データを作成する工程と、
（ｇ）前記地図表示サーバは、作成した地図表示データを前記携帯端末に送信する工程と、
（ｈ）前記携帯端末が、前記携帯端末の画面に、前記施設データを重ね合わせた地図を表示する工程と、
（ｉ）前記携帯端末の画面表示内容を前記利用者が確認し、要求に合えば、前記携帯端末の画面上で確認可を選択して、施設検索を終了する工程と、
を含む。
【００１４】
本発明に係る方法において、前記携帯端末の画面を前記利用者が確認し、要求に合わなかった場合には、前記利用者は、不可を選択して、再検索要求を行い、再び、前記（ａ）乃至（ｈ）の工程が行われる。
【００１５】
本発明に係る方法において、
（ｊ）前記工程（ｉ）で確認可となった場合には、前記地図表示サーバを通じて前記施設管理サーバに、検索分野と施設データでの検索の確認が可となったことを通知する工程と、
（ｋ）前記施設管理サーバが、前記施設データベースの施設データのアクセス数をカウントアップする工程と、
（ｌ）前記施設管理サーバが、前記携帯端末からの要求があるたびに、前記（ａ）乃至（ｋ）を行い、アクセス数を分野毎に集計し、予め定められた所定の期間毎に、アクセス数を基に、前記表示順位表を作成する工程と、を含む、ようにしてもよい。
【発明の効果】
【００１６】
本発明によれば、アクセス数が多いデータのみを地図上に表示する構成としたことにより、利用者は、目的のデータに到達する時間を短縮することができる。
【００１７】
本発明によれば、限定した施設データを表示するため、地図上からデータを容易に判別できる。
【００１８】
さらに、本発明によれば、地図上に表示されるデータが限定されるため、対象となった施設（店舗、企業等）は、他の施設との差別化を図ることができ、このため、ビジネスチャンスの拡大に貢献することが期待される。
【発明を実施するための最良の形態】
【００１９】
本発明を実施するための最良の形態について説明する。図１を参照すると、本発明を実施した一形態は、携帯端末１１と、携帯端末１１と通信接続され、地図情報を配信する地図表示サーバ１２と、地図表示サーバによってアクセスされ地図情報を格納した地図データベース１３と、地図表示画面に表示される施設情報を格納した施設データベース１５と、地図表示サーバ１２と通信接続し施設データベース１５の施設データを管理する施設管理サーバ１４を備えている。施設データベース１５内には、検索分野及び地域別に、アクセス回数の多い順に順位付けして表形式で格納した表示順位表１６を備えている。
【００２０】
携帯端末１１からの表示要求を受けた地図表示サーバ１２は、検索分野と地域情報を施設管理サーバ１４に送信する。施設管理サーバ１４は施設データベース１５の検索分野と地域情報に対応する表示順位表１６から最もアクセス数の多い施設データを取得して地図表示サーバ１２に送信する。地図表示サーバ１２は地図情報と施設データを合わせた表示情報を携帯端末１１に送信する。携帯端末１１からの確認ＯＫが入力された場合、施設管理サーバ１４は施設データベース１５の施設のアクセス回数をカウントアップする。施設管理サーバ１４は、所定の期間毎に、表示順位表の順位を更新する。
【００２１】
本発明において、携帯端末１１から表示要求を地図表示サーバ１２に対して行う場合、検索分野と地域情報を前記地図表示サーバに送信する。あるいは、携帯端末１１に対応する検索分野を個人情報として予め保持している個人情報データべース１８（図３参照）を有し、携帯端末からの表示要求を受けた地図表示サーバ１２は、個人情報データベース１８を参照して、前記携帯端末に対応する検索分野を取得し、前記携帯端末の地域情報と、検索分野を、施設管理サーバ１４に送信する。利用者は携帯端末から検索分野を選択入力することが不要となる。
【実施例】
【００２２】
本発明の実施例について図面を参照して詳細に説明する。本発明は、携帯端末を利用した地図情報システムにおいて施設検索および表示を行った場合に、利用者が、適切なデータを参照できるようしたものである。端末からの施設の検索時に、検索条件に合致したデータを表示するだけでなく、周期的に作成する表示順位表を参照して、表示するデータを限定する。
【００２３】
図１は、本発明の一実施例の構成を示す図である。図１を参照すると、本実施例に係る地図表示システムは、通信機能及び入出力装置を具備した携帯端末（情報端末）１１と、携帯端末１１と通信接続し、地図表示情報を携帯端末１１に配信する地図表示サーバ１２と、地図表示サーバ１２によってアクセスされ、地図情報を格納した地図データベース１３と、地図表示サーバ１２と通信接続され、地図表示サーバ１２とネットワークを介して通信接続し、地図表示サーバ１２からの要求を受け地図情報に表示される施設を地図表示サーバ１２に送信するとともに施設情報を管理する施設管理サーバ１４と、地図に表示される施設情報を格納した施設データベース１５と、を備えて構成される。１７は、携帯端末１１が存在するエリアを表す。携帯端末１１と、地図表示サーバ１２は無線（無線基地局）を介して接続されている。
【００２４】
図１において、１６は、施設データベース１５内に保持される検索分野毎の表示順位表を示している。表内部にある項目Ｇ１〜Ｇｎは、表示順位毎の施設名称を表している。施設名称項目Ｇ１〜Ｇｎには、地図上に表示させるための位置情報も保持されている。施設データベース１５の表示順位表１６は、所定期間における、検索分野毎のアクセス結果を集計した表である。施設データベース１５には、検索分野毎に、表示順位表を保持している。
【００２５】
図２は、地図表示時の施設データ表示方法を模式的に示した図である。地図表示レベル１からレベルが上がる毎に、地図の詳細さが増しているものとする。図２において、地図表示レベル１の「表示データ数：１」は、施設検索時の地図表示時には、検索分野では１件しか表示しないことを表す。次に、地図表示レベル２の「表示データ数：３」は、このレベルにおいて新たに表示されるデータは３件であることを表している。但し、地図表示時は、上位のデータを引き継ぐので実際に表示されるのは、３件＋１件となる。以降、地図表示レベル３では、９件（５件＋３件＋１件）。地図表示レベル４では全てのデータが表示されることを表す。
【００２６】
次に、図１を参照して、本実施例の動作について詳細に説明する。携帯端末１１はエリア１７（エリア「Ｄ１」とする）に存在する。
【００２７】
［手順１］
携帯端末１１がエリア１７（「Ｄ１」）内にある施設の検索を行う場合、地図表示サーバ１２に対して、
（１）位置情報：Ｄ１
（２）地図表示レベル（縮尺）：レベル１
（３）検索分野：Ｅ１
をパラメータとして、地図検索表示要求を行う（図１のａ）。なお、位置情報は、携帯端末１１が現在位置するエリアに限定されるものでない。すなわち、携帯端末１１上で指定されたエリアでの施設の検索にも適用可能であることは勿論である。
【００２８】
［手順２］
地図表示サーバ１２は、地図データベース１３に対して、位置情報：「Ｄ１」に対応する地図表示および関連データを要求する（図１のｂ）。
【００２９】
［手順３］
地図データベース１３は、地図表示サーバ１２に対して、位置情報：「Ｄ１」に対応する地図データを返信する（図１のｃ）。
【００３０】
［手順４］
地図表示サーバ１２は、施設管理サーバ１４を介して、施設データベース１５に対して、
（１）位置情報：Ｄ１
（２）地図表示レベル（縮尺）：レベル１
（３）検索分野：Ｅ１
をパラメータとして、対応する施設データを要求する（図１のｄ）。
【００３１】
［手順５］
施設データベース１５は、地図表示サーバ１２からの要求を受け、検索分野：「Ｅ１」に対応する表示順位表１６から、「施設データＧ１」のデータを返信する（図１のｅ）。
【００３２】
［手順６］
地図表示サーバ１２は、地図データベース１３から取得した、位置情報：「Ｄ１」に対応する地図表示および関連データと、施設データベース１５から返信された、検索分野：「Ｅ１」の表示順位表１６の順位が１位の「施設データＧ１」とを重ね合わせた地図表示データを作成する。
【００３３】
［手順７］
地図表示サーバ１２は、作成した地図表示データを、携帯端末１１に対して送信する（図１のｆ）。
【００３４】
［手順８］
携帯端末１１の画面上には、施設データを重ね合わせた地図表示データが表示される。利用者が、携帯端末１１の画面表示内容を確認し、利用者の要求に合えば、携帯端末１１画面上で、確認ＯＫを選択して、施設検索を終了する。確認ＯＫは、携帯端末１１から、地図表示サーバ１２に送信される（図１のｇ）。一方、携帯端末１１の画面表示内容が、要求に合わなかった場合には、利用者は、確認ＮＧを選択して、地図表示サーバ１２に対して、再検索要求を行う（図１のｇ）。
【００３５】
［手順９］
再検索を行う場合の処理手順は、上記の［手順１］乃至［手順８］で行うが、設定するパラメータのうち、（２）地図表示レベル（縮尺）をレベル２に変更して、より詳細な地図にて検索を行うようにする。
【００３６】
再検索の［手順８］において、確認ＯＫとなった場合には、携帯端末１１から、地図表示サーバ１２を通じて施設管理サーバ１４に対して、「検索分野：Ｅ１／施設データＧ１」にて、確認ＯＫとなったことを通知する（図１のｈ）。
【００３７】
［手順１０］
施設管理サーバ１４は、施設データベース１５の「施設データＧ１」のアクセス数をカウントアップさせる（図１のｉ）。
【００３８】
［手順１１］
施設管理サーバ１４は、携帯端末１１からの要求がある度に、［手順１］乃至［手順１０］を行い、アクセス数を分野毎に集計する。そして、予め定められた所定期間毎に、アクセス数を基に、順位の更新された表示順位表１６を作成する。例えば施設Ｇ３のアクセス回数が施設Ｇ１、Ｇ２を上回れば、施設Ｇ３が一位となり、施設Ｇ１、Ｇ２は二位以下となる。
【００３９】
次に、本発明の第２の実施例について説明する。図３は、本発明の第２の実施例の構成を示す図である。図３において、図１と同等の要素には、同一の参照符号が付されている。本発明の第２の実施例は、図１に示した前記実施例の構成に加えて、利用者の個人情報を格納した個人情報データベース１８を備え、個人情報データベース１８は、地図表示サーバ１２に接続される。本発明の第２の実施例は、検索分野の入力方法について前記実施例にさらに工夫が施されている。個人情報データベース１８には、携帯端末（情報端末）１１の利用者に対応する検索分野が、利用者の個人情報として登録されている。
【００４０】
図３において、携帯端末１１は、エリア１７（エリア「Ｄ１」とする）に存在する。
【００４１】
［手順１］
携帯端末１１がエリア「Ｄ１」の地図表示を行う場合、地図表示サーバ１２に対して、
（１）位置情報：Ｄ１
（２）地図表示レベル（縮尺）：レベル１
をパラメータとして地図表示要求を行う（図３のａ）。
【００４２】
［手順２］
地図表示サーバ１２は、地図データベース１３に対して、位置情報：「Ｄ１」に対応する地図表示および関連データを要求する（図３のｂ）。
【００４３】
［手順３］
地図データベース１３は、地図表示サーバ１２に対して、位置情報：「Ｄ１」に対応する地図データを返信する（図３のｃ）。
【００４４】
［手順４］
地図表示サーバ１２は、個人情報データベース１８から、予め登録されている携帯端末１１に対応する、検索分野データを要求する（図３のｄ）。
【００４５】
［手順５］
個人情報データベース１８は、地図表示サーバ１２に対して、携帯端末１１に対応する検索分野データを返信する（図３のｅ）。個人情報データベース１８から地図表示サーバ１２に返信された検索分野を「Ｅ１」とする。
【００４６】
［手順７］
地図表示サーバ１２は、施設管理サーバ１４を介して、施設データベース１５に対して、
（１）位置情報：Ｄ１、
（２）地図表示レベル（縮尺）：レベル１、
（３）検索分野：Ｅ１
をパラメータとして、対応する施設データを要求する（図３のｆ）。
【００４７】
［手順８］
施設データベース１５は、地図表示サーバ１２から要求された検索分野：「Ｅ１」に対応する表示順位表１６から、表示順位表１６で一位の「施設データＧ１」のデータを返信する（図３のｇ）。
【００４８】
［手順９］
地図表示サーバ１２は、地図データベース１３から入手した、位置情報：「Ｄ１」に対応する地図表示および関連データと、施設データベース１５から入手した、検索分野：「Ｅ１」の表示順位表１６における順位が１位の「施設データＧ１」を重ね合わせた地図表示データを作成する。
【００４９】
［手順１０］
地図表示サーバ１２は、作成された地図表示データを携帯端末１１に送信する（図３のｈ）。
【００５０】
［手順１１］
携帯端末１１の画面上に「施設データＧ１」が重ねあわされた地図データが表示され、これを利用者が確認し、利用者は、表示内容が要求に合えば、携帯端末１１の画面上で、確認ＯＫを選択して、施設検索を終了する。一方、表示内容が利用者の要求に合わなかった場合には、利用者は、携帯端末１１から、確認ＮＧ（不可）を選択して、地図表示サーバ１２、及び、施設管理サーバ１４を介し施設データベース１５に対する再検索要求を行う（図３のｉ、ｋ）。
【００５１】
再検索を行う場合、［手順１］−［手順１１］で行う。設定するパラメータのうち、（２）地図表示レベル（縮尺）をレベル２に変更して、より詳細な地図にて検索を行うようにする。
【００５２】
［手順１２］
［手順１１］にて、確認ＯＫとなった場合は、地図表示サーバ１２を通じて施設管理サーバ１４に対して、「検索分野：Ｅ１／施設データＧ１」にて確認ＯＫとなったことを通知する（図３のｊ）。
【００５３】
［手順１３］
施設管理サーバ１４は、施設データベース１５の施設データＧ１のアクセス数をカウントアップさせる（図３のｋ）。
【００５４】
［手順１４］
施設管理サーバ１４は、携帯端末１１からの要求があるたびに手順１−１３を行い、アクセス数を分野毎に集計する。そして、予め定められた所定期間毎に、アクセス数を基に、順位の更新された表示順位表１６を作成する。
【００５５】
以上本発明を上記実施例に即して説明したが、本発明は上記実施例にのみ限定されるものでなく、発明の範囲内で当業者であればなし得るであろう各種変形、修正を含むことは勿論である。
【産業上の利用可能性】
【００５６】
本発明は、インターネット接続機能、画像表示機能を有する携帯電話機、ＰＨＳ（パーソナルハンディホンシステム）、携帯情報端末（ＰＤＡ）等任意の携帯型の通信端末に適用して好適とされる。
【図面の簡単な説明】
【００５７】
【図１】本発明の一実施例のシステム構成を示す図である。
【図２】本発明の一実施例における地図表示時の施設データ表示方法を模式的に示した図である。
【図３】本発明の他の実施例のシステム構成を示す図である。
【符号の説明】
【００５８】
１１  携帯端末
１２  地図表示サーバ
１３  地図データベース
１４  施設管理サーバ
１５  施設データベース
１６  表示順位表
１７  エリア
１８  個人情報データべース
【図１】
2005165749.tif 000003
【図２】
2005165749.tif 000004
【図３】
2005165749.tif 000005